(57)【要約】      （修正有）【課題】耐高温性で、耐酸性で、破裂を防止し、コストがかからず、構造が簡単で、取り付けが便利な透視できる蓋を提供する。【解決手段】透視できる蓋は、外環１、内蓋２、及び取っ手を有している。内蓋２は、円形状を呈し、ＰＣ材料を用いて生成されている。ＰＣ材料は、耐高温性、耐酸性、爆発防止といった特徴を有している。さらに、ＰＣ材料は、軽く、低コストであり、また、一定の弾性を有している。外環１は、金属材質の材料を用いて生成されている。外環１の内径は、内蓋２の外径と互いに等しい。外環１の内部開孔に向かって、内蓋２を押し入れる。このとき、上凸台２１の斜面によって、外環１の内円周を上凸台２１に沿って滑らせ、外環１の内円周の周縁を上凸台２１と下凸台２２との間の隙間に滑り込ませる。このように、外環１の内円周の周縁は、上凸台２１と下凸台２２とによって遮られ、移動できず、外環１と内蓋２とは、一体形状を形成する。【選択図】図７
0003156928.tif 000002
【実用新案登録請求の範囲】
【請求項１】
内蓋及び前記内蓋の外に位置する金属環を有する蓋において、
前記内蓋は、
透明なプラスチックにより形成されていること、
を特徴とする透視できる蓋。
【請求項２】
請求項１に係る透視できる蓋において、
前記内蓋は、
外周縁の上側に配置される上結合部分であって、前記外周縁に均等に配置される上結合部、
前記外周縁の下側に配置される下結合部分であって、前記外周縁に均等に配置される下結合部分、
を有し、
前記上結合部分及び前記下結合部分は、
所定の間隔を有して配置されていること、
を特徴とする透視できる蓋。
【請求項３】
請求項２に係る透視できる蓋において、
前記間隔は、前記金属環の厚さと互いに等しく、
前記金属環の内径は、前記内蓋の外径と互いに等しく、
前記金属環の内側に、前記上結合部分及び前記下結合部分を挿入し、前記内蓋と一体形状を形成すること、
を特徴とする透視できる蓋。
【請求項４】
請求項２又請求項３に係る透視できる蓋において、
前記上結合部分及び前記下結合部分は、
前記内蓋の円周に、上下に交互に配置されること、
を特徴とする透視できる蓋。
【請求項５】
請求項２又は請求項３に係る透視できる蓋において、
前記上結合部分及び前記下結合部分は、
前記内蓋の円周の同じ位置に、上下対応して配置されること、
を特徴とする透視できる蓋。
【請求項６】
請求項４又は請求項５に係る透視できる蓋において、
前記上結合部分は、
前記内蓋との接続側から外側に向かって凸形状であり、前記内蓋との接続側から外側に向かって厚さが薄くなる斜面を有する鍵状部分、又は、前記内蓋との接続側から外側に向かって凸形状であり、前記内蓋との接続側から外側に向かって厚さが変わらない締め付け部分であり、
前記下結合部分は、
前記鍵状部分又は前記締め付け部分であること、
を特徴とする透視できる蓋。
【請求項７】
請求項６に係る透視できる蓋において、
前記上結合部分は、
前記鍵状部分であり、
前記下結合部分は
前記締め付け部分であること、
を特徴とする透視できる蓋。
【請求項８】
請求項６に係る透視できる蓋において、
前記上結合部分は、
前記締め付け部分であり、
前記下結合部分は
前記鍵状部分であること、
を特徴とする透視できる蓋。
【請求項９】
請求項１〜請求項８に係る透視できる蓋のいずれかにおいて、
前記内蓋は、
断面に凸レンズ形状を有すること、
を特徴とする透視できる蓋。
【請求項１０】
請求項９に係る透視できる蓋において、
前記内蓋は、
断面の凸レンズ形状が両凸形状を有すること、
を特徴とする透視できる蓋。
【請求項１１】
請求項９に係る透視できる蓋において、
前記内蓋は、
断面の凸レンズ形状が平凸形状を有すること、
を特徴とする透視できる蓋。
【請求項１２】
請求項９〜請求項１１に係る透視できる蓋において、
前記内蓋は、
断面の一部に前記凸レンズ形状を有すること、
を特徴とする透視できる蓋。
【考案の詳細な説明】
【技術分野】
【０００１】
本実用新案は、鍋蓋の製造技術領域に属し、特に、新型の透視できる蓋に関する。
【背景技術】
【０００２】
今日、市場で普通に見られる蓋は、通常、ガラス或いは金属を用いて生成されている。
【先行技術文献】
【特許文献】
【０００３】
【特許文献１】特開平１１−３１３７６７号公報
【考案の概要】
【考案が解決しようとする課題】
【０００４】
しかし、ガラスの蓋は、透視性を有しているものの、砕けやすく、使用中にある程度の危険がありさらにコストが高くなる。金属で生成されている蓋は、透視性を有さないだけでなく、コストも高い。
【０００５】
本実用新案が解決する技術的問題は、耐高温性で、耐酸性で、破裂を防止し、コストがかからず、構造が簡単で、取り付けが便利な透視できる蓋を提供することである。
【考案の効果】
【０００６】
本考案における課題を解決するための手段及び発明の効果を以下に示す。前記技術問題を解決するために、本考案は、以下の技術的構成を採用している。
【０００７】
蓋本体及び蓋本体に設置される取っ手を有する透視できる蓋であって、本体は、内蓋の外に金属環がはまる構成であり、内蓋は、透明なプラスチックにより形成され、前述の取っ手は、内蓋上方の中央部に設置される。
【０００８】
前述の透視できる蓋において、内蓋の円周には、上、下結合部分が均等に位置し、上、下結合部分間は、ある間隔を有し、当該間隔は、金属環の厚さと互いに等しく、金属環の内径は、内蓋の外径と互いに等しく、金属環の内側には、上、下結合部分を挿入し、内蓋と一体形状を形成する。
【０００９】
前述の透視できる蓋において、上、下結合部分は、上下に対応して、又は、交互に配置される鍵状部分或いは締め付け部分である。
【００１０】
前述の透視できる蓋において、上の鍵状部分或いは上の締め付け部分は、斜面状の凸形状からなる。
【００１１】
前述の透視できる蓋において、下の鍵状部分或いは下の締め付け部分は、凸形状からなる。
【００１２】
本考案に係る技術的構成を採用することによって、ＰＣ材料（ポリカーボネート）の内蓋及び金属材質の外環を、簡単に実用的な透視できる蓋を組み立てられ、ガラス製の蓋の透視性能を保持するだけでなく、さらに、耐高温性、耐酸性、破裂防止、低いコスト、軽い重量、簡単な加工技術、便利な組立等、多くの利点を有する。
【００１３】
本考案に係る透視できる蓋は、内蓋は、断面に凸レンズ形状を有する。これにより、調理器具に使用する際に、使用者は拡大された調理物を視認することができるので、容易に調理物の状態を確認することができる。
【図面の簡単な説明】
【００１４】
【図１】本考案に係る蓋の外環の俯瞰図である。
【図２】本考案に係る蓋の外環の側面図である。
【図３】本考案に係る蓋の内蓋の俯瞰見取り図である。
【図４】本考案に係る蓋の内蓋の断面図である。
【図５】本考案に係る蓋の内蓋の部分拡大見取り図である。
【図６】外環と内蓋との組立の見取り図である。
【図７】外環及び内蓋の組立前の拡大見取り図である。
【図８】外環及び内蓋の組立後の拡大見取り図である。
【図９】本考案に係る透視できる蓋の見取り図である。
【図１０】本考案に係る透視できる蓋の実施例２を示す図であり、Ａは上面図を、Ｂは断面図を示す。
【図１１】図１０における内蓋２０２の斜視図である。
【図１２】図１１におけるＢ部の拡大図である。
【図１３】本考案に係る透視できる蓋の他の実施例を示す図である。
【考案を実施するための形態】
【００１５】
以下、本考案の実施例について、図面を参照しながら詳細に説明していく。
【実施例１】
【００１６】
図１〜図９を参照してわかるように、本考案に係る透視できる蓋は、外環１、内蓋２、及び取っ手３を有している。内蓋２は、円形状を呈し、ＰＣ材料を用いて生成されている。ＰＣ材料は、耐高温性、耐酸性、爆発防止といった特徴を有している。さらに、ＰＣ材料は、軽く、低コストであり、また、一定の弾性を有している。内蓋２の上部中心点には、取っ手３が固定されている。外周縁の上縁には、４つの斜面状（根本部が厚く、前部が薄い）の上凸台２１が均等に配置されている。上凸台２１は、逆さの鍵状構造形式を呈している。外周縁の下縁には、４つの下凸台２２が均等に配置されている。上凸台２１と下凸台２２とは、互いに交互に設けられている。当然に、上凸台２１と下凸台２２とを、上下対応して設けることも可能である。この構成は、外環１の内周縁を上凸台２１と下凸台２２との間に押し入れるのに便利である。図５に示すように、上凸台２１と下凸台２２との間の垂直距離と外環１の厚さとは、互いに等しい。
【００１７】
外環１は、金属材質の材料、例えば、アルミニウム、鉄、ステンレス等を用いて生成されている。外環１の内径ａは、内蓋２の外径ｂと互いに等しい。
【００１８】
組立時では、図６を参照せよ。図中の矢印の方向、即ち、外環１の内部開孔に向かって、内蓋２を押し入れ、上凸台２１の斜面が作用することによって、外環1の内円周を上凸台２１に沿って滑らせ、合わせて上凸台２１に対して圧力をかける。内蓋２はＰＣ材料によって生成されており、適度な弾性を有していることから、上凸台２１がわずかに変形し、外環1の内円周の周縁を上凸台２１と下凹台２２との間の隙間に滑り込ませる。上凸台２１は、圧力がなくなった後には、元に戻る。このように、外環1の内円周の周縁は、上凸台２１と下凸台２２とによって遮られ、移動できず、外環1と内蓋２とは、一体形状を形成する。
【００１９】
当然に、上記実施例は、本考案に対する一つのより好ましい実施例の説明であり、本考案を制限するものではない。本考案に対する同等のどんな変換も、例えば鍵状部分或いは締め付け部分は任意の数で設置でき、非凸台形状も設置でき、上、下鍵状部分或いは締め付け部分は対応して設置され、或いは、鍵状部分或いは締め付け部分は外環の上に設置する等、全て、本考案の保護範囲に入る。
【実施例２】
【００２０】
前述の実施例１においては、内蓋２は断面が上側に凸な形状、いわゆるドーム型の形状を有してている。本実施例における内蓋２０２は、使用の際に調理している調理物を詳細に確認できるような構造を有している。なお、本実施例においては、実施例１と同様の構成については、同じ符号を付している。
【００２１】
本実施例に係る透視できる蓋２００の上面図を図１０Ａに示す。蓋２００は、外環２０１、内蓋２０２、及び取っ手２０３を有している。外環２０１は、円環形状を有している。また、外環２０１は、アルミニウム等の金属材料により形成されている。取っ手２０３は、外環２０１及び内蓋２０２の上に取り付けられている。
【００２２】
内蓋２０２は、ポリカーボネイト（ＰＣ）を用いて形成されている。内蓋２０２は、ポリカーボネイト（ＰＣ）を用いて形成されていることから、透視性を有している。
【００２３】
内蓋２０２は、取っ手３側から見ると円形形状を有している。蓋２００の図１０ＡにおけるＡ−Ａ断面を図１０Ｂに示す。内蓋２０２は、外周縁部２０２ａ及び天盤部２０２ｂを有している。天盤部２０２ｂは、外周縁部２０２ａ側が薄く、中央部が厚い断面形状、いわゆる凸レンズ形状を有している。また、天盤部２０２ｂの凸レンズ形状は、取っ手２０３側及びその反対側に凸な形状、つまり両凸形状を有している。
【００２４】
蓋２００を使用する使用者は、調理器具内の調理物が拡大された状態で、当該調理物を天盤部２０２ｂから確認することができる。なお、凸レンズ形状を有する内蓋２０２の焦点距離は、蓋２００を調理器具に使用したときの内蓋２０２の中心から調理器具の底までの距離よりも長くなるように設定している。これにより、蓋２００を使用する使用者は、内蓋２０２を介して調理物の虚像を見ることになるので、結果として、拡大された状態の調理物を確認することができる。
【００２５】
内蓋２０２の斜視図を図１１に示す。内蓋２０２の外周部２０２ａには、実施例１と同様に、上凸台２１及び下凸台２２が形成されている。外周縁部２０２ａのＢ部の拡大図を図１２に示す。上凸台２１は、外周縁部２０２ａの上縁に配置されている。上凸台２１は、外周縁部２０２ａとの接続する側が厚く、外側が薄い形状、いわゆる逆さの鍵状構造形式を有している。下凸台２２は、外周縁部２０２ａの下縁に配置されている。下凸台２２は、外周縁部２０２ａとの接続する側及び外側が、共に同じ厚さの形状を有している。なお、上凸台２１と下凸台２２とは、交互に配置されている。このような上凸台２１及び下凸台２２の構造、配置については、実施例１と同様である。
［その他の実施形態］
【００２６】
（１）天盤部２０２ｂの断面形状  ：  前述の実施例２においては、天盤部２０２ｂの断面形状は両凸レンズ形状を有するとしたが、調理物を拡大して視認できる形状であれば例示のものに限定されない。例えば、図１３Ａに示すような天盤部２０２ｂの上側の面が平面、下側の面が凸レンズ形状である平凸レンズ形状であってもよい。
【００２７】
（２）天盤部２０２ｂにおける凸レンズ形状を形成する位置  ：  前述の実施例２においては、天盤部２０２ｂの全体が凸レンズ形状を有するとしたが、調理物を拡大して視認できる形状であれば例示のものに限定されない。例えば、図１３Ｂに示すように、天盤部２０２ｂの一部に断面両凸形状の拡大部２０２ｃを設けるようにしてもよい。なお、拡大部２０２ｃの断面形状は、断面平凸形状であってもよい。
【産業上の利用可能性】
【００２８】
本考案に係る蓋は、例えば、フライパン等の調理器具に用いることができる。
【符号の説明】
【００２９】
１・・・・・外環
２・・・・・内蓋
３・・・・・取っ手
２１・・・・・上凸台
２２・・・・・下凸台
２０１・・・・・外環
２０２・・・・・内蓋
２０２ａ・・・・外周縁部
２０２ｂ・・・・天盤部
２０２ｃ・・・・拡大部
２０３・・・・・取っ手
【図１】
0003156928.tif 000003
【図２】
0003156928.tif 000004
【図３】
0003156928.tif 000005
【図４】
0003156928.tif 000006
【図５】
0003156928.tif 000007
【図６】
0003156928.tif 000008
【図７】
0003156928.tif 000009
【図８】
0003156928.tif 000010
【図９】
0003156928.tif 000011
【図１０】
0003156928.tif 000012
【図１１】
0003156928.tif 000013
【図１２】
0003156928.tif 000014
【図１３】
0003156928.tif 000015
【手続補正書】
【提出日】平成21年11月20日(2009.11.20)
【手続補正１】
【補正対象書類名】実用新案登録請求の範囲
【補正対象項目名】全文
【補正方法】変更
【補正の内容】
【実用新案登録請求の範囲】
【請求項１】
内蓋及び前記内蓋の外に位置する金属環を有する蓋において、
前記内蓋は、
透明なプラスチックにより形成されていること、
を特徴とする透視できる蓋。
【請求項２】
請求項１に係る透視できる蓋において、
前記内蓋は、
外周縁の上側に配置される上結合部分であって、前記外周縁に均等に配置される上結合部分、
前記外周縁の下側に配置される下結合部分であって、前記外周縁に均等に配置される下結合部分、
を有し、
前記上結合部分及び前記下結合部分は、
所定の間隔を有して配置されていること、
を特徴とする透視できる蓋。
【請求項３】
請求項２に係る透視できる蓋において、
前記間隔は、前記金属環の厚さと互いに等しく、
前記金属環の内径は、前記内蓋の外径と互いに等しく、
前記金属環の内側に、前記上結合部分及び前記下結合部分を挿入し、前記内蓋と一体形状を形成すること、
を特徴とする透視できる蓋。
【請求項４】
請求項２又請求項３に係る透視できる蓋において、
前記上結合部分及び前記下結合部分は、
前記内蓋の円周に、上下に交互に配置されること、
を特徴とする透視できる蓋。
【請求項５】
請求項２又は請求項３に係る透視できる蓋において、
前記上結合部分及び前記下結合部分は、
前記内蓋の円周の同じ位置に、上下対応して配置されること、
を特徴とする透視できる蓋。
【請求項６】
請求項４又は請求項５に係る透視できる蓋において、
前記上結合部分は、
前記内蓋との接続側から外側に向かって凸形状であり、前記内蓋との接続側から外側に向かって厚さが薄くなる斜面を有する鍵状部分、又は、前記内蓋との接続側から外側に向かって凸形状であり、前記内蓋との接続側から外側に向かって厚さが変わらない締め付け部分であり、
前記下結合部分は、
前記鍵状部分又は前記締め付け部分であること、
を特徴とする透視できる蓋。
【請求項７】
請求項６に係る透視できる蓋において、
前記上結合部分は、
前記鍵状部分であり、
前記下結合部分は
前記締め付け部分であること、
を特徴とする透視できる蓋。
【請求項８】
請求項６に係る透視できる蓋において、
前記上結合部分は、
前記締め付け部分であり、
前記下結合部分は
前記鍵状部分であること、
を特徴とする透視できる蓋。
【請求項９】
請求項１〜請求項８に係る透視できる蓋のいずれかにおいて、
前記内蓋は、
断面に凸レンズ形状を有すること、
を特徴とする透視できる蓋。
【請求項１０】
請求項９に係る透視できる蓋において、
前記内蓋は、
断面の凸レンズ形状が両凸形状を有すること、
を特徴とする透視できる蓋。
【請求項１１】
請求項９に係る透視できる蓋において、
前記内蓋は、
断面の凸レンズ形状が平凸形状を有すること、
を特徴とする透視できる蓋。
【請求項１２】
請求項９〜請求項１１に係る透視できる蓋のいずれかにおいて、
前記内蓋は、
断面の一部に前記凸レンズ形状を有すること、
を特徴とする透視できる蓋。